(57)【要約】【課題】維持電極を駆動するための複数のプリント基板間に接続不良が生じたときに速やかにかつ視認性を高めて検知できるプラズマディスプレイ装置を提供する。【解決手段】前面板上に複数の走査電極および維持電極を形成したプラズマディスプレイパネルと、前記維持電極に供給する維持パルスを発生させる維持パルス発生回路を搭載した主基板と、前記主基板に電気的に接続され前記主基板から出力される維持パルスを前記維持電極に伝達する中継基板と、前記主基板および前記中継基板のそれぞれに設けられかつ前記主基板と前記中継基板とを電気的に接続するためのコネクタとを備え、前記中継基板に、前記維持パルス発生回路から出力される維持パルスを検出し接続状態を表示する接続不良検知回路を搭載するとともに、前記接続不良検知回路を前記中継基板上に設けたコネクタに電気的に接続したことを特徴とする。【選択図】図１１
2008083136.tif 000002
【特許請求の範囲】
【請求項１】
前面板上に複数の走査電極および維持電極を形成したプラズマディスプレイパネルと、
前記維持電極に供給する維持パルスを発生させる維持パルス発生回路を搭載した主基板と、
前記主基板に電気的に接続され前記主基板から出力される維持パルスを前記維持電極に伝達する中継基板と、
前記主基板および前記中継基板のそれぞれに設けられかつ前記主基板と前記中継基板とを電気的に接続するためのコネクタとを備え、
前記中継基板に、前記維持パルス発生回路から出力される維持パルスを検出し接続状態を表示する接続不良検知回路を搭載するとともに、前記接続不良検知回路を前記中継基板上に設けたコネクタに電気的に接続したことを特徴とするプラズマディスプレイ装置。
【請求項２】
前記接続不良検知回路は、前記中継基板上に設けたコネクタにアノードを接続したダイオードと、カソードを接地した発光ダイオードと、前記ダイオードのカソードと前記発光ダイオードのアノードとの間に直列に接続して前記発光ダイオードに流れる電流を制限する抵抗と、前記発光ダイオードに印加される維持パルスを平滑化するコンデンサとを備え、維持パルスによって前記発光ダイオードを発光させるように構成とした
ことを特徴とする請求項１に記載のプラズマディスプレイ装置。
【請求項３】
前記接続不良検知回路は、前記中継基板上に設けたコネクタから出力される維持パルスを抵抗分割する複数の抵抗と、抵抗分割された維持パルスを平滑化するコンデンサと、前記コンデンサにカソードを接続したダイオードと、前記ダイオードのアノードに接続され前記コンデンサの電圧が所定の電圧以下となったときに出力信号を変位させるスイッチング回路とを備えた
ことを特徴とする請求項１に記載のプラズマディスプレイ装置。
【発明の詳細な説明】
【技術分野】
【０００１】
本発明は、大画面で、薄型、軽量の画像表示装置として知られているプラズマディスプレイ装置に関する。
【背景技術】
【０００２】
プラズマディスプレイパネル（以下、「パネル」と略記する）として代表的な交流面放電型パネルを用いたプラズマディスプレイ装置は、視野角が広く大画面化が容易であり、かつ自発光型であり画像表示品質が高いこと等から、大画面画像表示装置の主流となりつつある。
【０００３】
パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。そして、パネルは、画像表示を行う画像表示領域とそれ以外の非表示領域とに分けられ、各電極はそれぞれの電極を前面板または背面板の画像表示領域外、すなわち非表示領域まで引き出して形成した引き出し部を備え、その引き出し部に駆動電圧を印加することで各電極を駆動する。
【０００４】
このような構成のパネルを用いたプラズマディスプレイ装置は、表示電極対に交互に維持パルスを印加して各放電セル内でガス放電を発生させ、このガス放電により発生した紫外線で赤色、緑色および青色の各色の蛍光体を励起発光させてカラー画像表示を行っている。
【０００５】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００６】
各サブフィールドは、初期化期間、書込み期間および維持期間を有し、初期化期間では初期化放電を発生し、続く書込み動作に必要な壁電荷を各電極上に形成する。書込み期間では、表示を行うべき放電セルに選択的に書込みパルス電圧を印加して書込み放電を発生させ壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００７】
このようなプラズマディスプレイ装置においては、各電極それぞれの引き出し部と、各駆動回路のそれぞれの出力部とをフレキシブル配線板（以下、「ＦＰＣ」と記す）によって電気的に接続し、ＦＰＣを介して各電極に駆動電圧を印加してパネルを駆動している。例えば、各駆動回路の出力部はＦＰＣと接続するために設けたコネクタを備えており、一方の端部をパネルの引き出し部に固着したＦＰＣの他方の端部をそのコネクタに接続することで、各電極と各駆動回路とを電気的に接続している。
【０００８】
このとき、駆動電圧波形へのノイズの影響をできるだけ少なくするためには、各駆動回路と各電極とを電気的につなぐためのＦＰＣをできるだけ短くすることが好ましい。そのためには、各電極の引き出し部とそれに対応するコネクタとの間ができるだけ短くなるように、駆動回路を搭載するためのプリント基板をパネルの各辺の長さにあわせた大きさに形成してコネクタを配置することが望ましい。
【０００９】
しかしながら、駆動回路を搭載するプリント基板は様々な要因によりその大きさが制限されているため、通常使用できるプリント基板の大きさは一辺の長さが大きくとも５０ｃｍ程度である。一方で、近年ではパネルの更なる大画面化が進められており、例えば、表示画面サイズが１０３インチのパネルでは、長辺の長さは約２．３ｍ、短辺の長さは約１．３ｍに達する。このような巨大なパネルを用いたプラズマディスプレイ装置では、各電極をそれぞれ１枚のプリント基板で駆動するように構成することは困難であり、各電極の駆動にはそれぞれ複数枚のプリント基板が必要となる。
【００１０】
このとき、維持電極に関しては、全ての維持電極に対して同じ駆動電圧を共通に印加して駆動することができるため、全ての維持電極が共通して接続される短絡用配線を形成するとともに複数のＦＰＣをこの短絡用配線に接続した構成とし、それら複数のＦＰＣおよび短絡用配線を介して、ひとつの維持電極駆動回路が全ての維持電極を駆動する構成とすることができる。このような構成において維持電極の駆動に複数枚のプリント基板を用いる場合には、１枚のプリント基板に維持電極駆動回路を搭載し、残りのプリント基板は維持電極駆動回路から出力される駆動電圧を中継するためのプリント基板にして、短絡用配線に接続されたＦＰＣを接続するためのコネクタをそれらの基板上にそれぞれ搭載する構成とすることができる。また、維持電極駆動回路を搭載したプリント基板と中継用のプリント基板との電気的な接続は、例えば、各プリント基板上にコネクタを設けそのコネクタ同士をＦＰＣで接続することで実現することができる。
【００１１】
しかしながら、このような構成では、維持電極駆動回路を搭載したプリント基板と中継用のプリント基板との間に接続不良が発生すると、中継用のプリント基板を介して流れるはずの電流が、正常に接続されたＦＰＣを介して短絡用配線に流れるようになるため、正常に接続されたＦＰＣに過負荷がかかる恐れがある。また、維持放電に際して流れる電流はパネルの面積に比例して増加するため、例えば前述した１０３インチのパネルでは５０インチのパネルの約４倍の電流が流れることになり、前述の過負荷は非常に大きいものとなる。
【００１２】
そこで、ＦＰＣの各回路パタ−ンに温度指示塗料を塗った抵抗を電気的に直列に配することにより、接続不良を塗料の色変化によって検出できるようにした技術が提案されている（例えば、特許文献１参照）。
【特許文献１】特開平２−１８６５３１号公報
【発明の開示】
【発明が解決しようとする課題】
【００１３】
例えば、維持電極駆動回路を搭載したプリント基板と中継用のプリント基板とをつなぐケーブルにこの技術を適用することで、維持電極駆動回路を搭載したプリント基板と中継用のプリント基板との間に発生する接続不良を検知することができる。しかしながら、この技術では、塗料の色変化によって接続不良の有無を検知するため、例えば製造工程においてプリント基板同士の接続状態を検査するような場合、塗料に色の変化が発生するまで待たねばならず、その分の時間が余計にかかるという問題があった。また、抵抗のような比較的小さな部品では、温度指示塗料を塗る面積も限られるため色の変化が見難い場合が生じるという問題があった。
【００１４】
本発明はこれらの課題に鑑みなされたものであり、維持電極駆動回路を搭載したプリント基板と中継用のプリント基板との間に接続不良が生じたときに、接続不良の発生を、速やかにかつ視認性を高めて検知することが可能なプラズマディスプレイ装置を提供することを目的とする。
【課題を解決するための手段】
【００１５】
この課題を解決するために、本発明のプラズマディスプレイ装置は、前面板上に複数の走査電極および維持電極を形成したプラズマディスプレイパネルと、前記維持電極に供給する維持パルスを発生させる維持パルス発生回路を搭載した主基板と、前記主基板に電気的に接続され前記主基板から出力される維持パルスを前記維持電極に伝達する中継基板と、前記主基板および前記中継基板のそれぞれに設けられかつ前記主基板と前記中継基板とを電気的に接続するためのコネクタとを備え、前記中継基板に、前記維持パルス発生回路から出力される維持パルスを検出し接続状態を表示する接続不良検知回路を搭載するとともに、前記接続不良検知回路を前記中継基板上に設けたコネクタに電気的に接続したことを特徴とする。
【００１６】
この構成により、主基板と中継基板との間に接続不良が生じたときに、接続不良の発生を、速やかに検知することが可能なプラズマディスプレイ装置を提供することができる。
【００１７】
また、本発明のプラズマディスプレイ装置においては、接続不良検知回路は、中継基板上に設けたコネクタにアノードを接続したダイオードと、カソードを接地した発光ダイオードと、ダイオードのカソードと発光ダイオードのアノードとの間に直列に接続して発光ダイオードに流れる電流を制限する抵抗と、発光ダイオードに印加される維持パルスを平滑化するコンデンサとを備え、維持パルスによって発光ダイオードを発光させるように構成している。これにより、主基板と中継基板との間に接続不良が発生したときに発光ダイオードの発光に変化を生じさせることができるので、主基板と中継基板との間の接続不良を、速やかにかつ視認性を高めて検知することが可能となる。
【００１８】
また、本発明のプラズマディスプレイ装置においては、接続不良検知回路は、中継基板上に設けたコネクタから出力される維持パルスを抵抗分割する複数の抵抗と、抵抗分割された維持パルスを平滑化するコンデンサと、コンデンサにカソードを接続したダイオードと、前記ダイオードのアノードに接続されコンデンサの電圧が所定の電圧以下となったときに出力信号を変位させるスイッチング回路とを備えた構成としたものである。これにより、主基板と中継基板との間に接続不良が発生したときに、スイッチング回路の出力信号を変位させることができるので、例えば、スイッチング回路の出力信号にもとづき異常の発生を表示することにより、主基板と中継基板との間の接続不良を、速やかにかつ視認性を高めて検知することが可能となる。
【発明の効果】
【００１９】
本発明によれば、維持電極駆動回路を搭載したプリント基板と中継用のプリント基板との間に接続不良が生じたときに、接続不良の発生を、速やかにかつ視認性を高めて検知することが可能となる。
【発明を実施するための最良の形態】
【００２０】
以下、本発明の一実施の形態におけるプラズマディスプレイ装置について、図面を用いて説明する。
【００２１】
図１は、本発明の一実施の形態におけるパネル１０の構造を示す分解斜視図である。前面板２０はガラス製の前面基板２１を有する。前面基板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２２】
背面板３０はガラス製の背面基板３１を有する。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２３】
これら前面板２０と背面板３０とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示され、パネル１０は、画像表示を行う画像表示領域とそれ以外の非表示領域とに分けられる。
【００２４】
なお、パネル１０の構造は上述したものに限られるわけではなく、例えばストライプ状の隔壁を備えたものであってもよい。
【００２５】
図２は、パネル１０の電極配列図である。パネル１０には、行方向に延長されたｎ本（本実施の形態においては、ｎ＝１０８０）の走査電極ＳＣ１〜ＳＣｎ（図１の走査電極２２）およびｎ本の維持電極ＳＵ１〜ＳＵｎ（図１の維持電極２３）が配列され、列方向に延長されたｍ本（本実施の形態においては、ｍ＝５７６０）のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００２６】
図３は、パネル１０の維持電極の端部を拡大して示す図である。維持電極２３は、パネル１０の非表示領域まで引き出されて形成された引き出し部を有する。維持電極２３は、全ての維持電極２３に対し共通して同じ駆動電圧を印加するため、全ての維持電極２３に共通して接続された短絡用配線２７を形成し、その短絡用配線２７に複数の引き出し電極２８を設けることで維持電極２３の引き出し部を形成している。
【００２７】
図４は、パネル１０の電極引き出し部にＦＰＣを接続した様子を示す概略図である。ＦＰＣ５３９は、柔軟性を有するプリント配線基板からなっており、一方の端部には走査電極２２の引き出し電極の配置間隔にもとづいた間隔および配線幅に形成された電極端子が配列され、他方の端部にはＦＰＣ５３９が接続されるコネクタに設けられた電極の配置間隔にもとづいた間隔および配線幅に形成された電極端子が配列されている。なお、ここには図示していないが、データ電極３２用のＦＰＣ５２９も、このＦＰＣ５３９とほぼ同様の構成である。
【００２８】
維持電極用ＦＰＣ５４９は、ＦＰＣ５３９と同様に柔軟性を有するプリント配線基板からなっており、大電流を流すことができるように、幅の広い金属箔を柔軟な樹脂基板上にプリントして形成した配線を有する。維持電極用ＦＰＣ５４９の一方の端部には引き出し電極２８の配置間隔にもとづいた間隔および配線幅に形成された電極端子が配列され、維持電極用ＦＰＣ５４９の他方の端部には、維持電極用ＦＰＣ５４９が接続されるコネクタに設けられた電極の配置間隔にもとづいた間隔および配線幅に形成された電極端子が配列されている。
【００２９】
図５は、プラズマディスプレイ装置の回路ブロックの一例を示す図である。図５において、プラズマディスプレイ装置は、パネル１０と、画像信号処理回路５１と、データ電極駆動回路５２と、走査電極駆動回路５３と、維持電極駆動回路５４と、タイミング発生回路５５と、接続不良検知回路５００と、各回路ブロックに必要な電源を供給する電源回路（図示せず）とを備えている。
【００３０】
前述した画像信号処理回路５１は、入力された画像信号ｓｉｇをサブフィールド毎の発光・非発光を示す画像データに変換する。前述したデータ電極駆動回路５２はサブフィールド毎の画像データを各データ電極Ｄ１〜Ｄｍに対応する信号に変換し各データ電極Ｄ１〜Ｄｍを駆動する。前述したタイミング発生回路５５は水平同期信号Ｈ、垂直同期信号Ｖをもとにして各回路ブロックの動作を制御する各種のタイミング信号を発生し、それぞれの回路ブロックへ供給する。前述した走査電極駆動回路５３は、タイミング信号にもとづき、維持期間においては維持パルスを発生させ、初期化期間においては傾斜波形電圧を発生させ、書込み期間においては走査パルスを発生させて各走査電極ＳＣ１〜ＳＣｎをそれぞれ駆動する。前述した維持電極駆動回路５４は、維持期間において維持パルスを発生するための維持パルス発生部２００を有し、タイミング信号にもとづいて維持電極ＳＵ１〜ＳＵｎを駆動する。
【００３１】
また、前述した接続不良検知回路５００は、後述する中継用プリント基板上に設けられ、維持電極駆動回路５４から出力される駆動電圧を検出して、維持電極駆動回路５４を搭載したプリント基板と中継用プリント基板との間に電気的な接続不良がないかどうかを検知する。詳細については後述するが、本実施の形態では、この接続不良検知回路５００を中継用プリント基板上に搭載することで、維持電極駆動回路５４を搭載したプリント基板と中継用プリント基板との間に電気的な接続不良が発生したとき、そのことを速やかにかつ視認性を高めて検知することができるようにしている。
【００３２】
次に、維持電極駆動回路５４の詳細について説明する。
【００３３】
図６は、維持電極駆動回路５４の詳細を示す回路図である。維持パルス発生部２００は、電力回収部２１０とクランプ部２２０とを備え、電力回収部２１０は、電力回収用のコンデンサＣ２００と、スイッチング素子Ｑ２１１、Ｑ２１２と、逆流防止用のダイオードＤ２０１、Ｄ２０２と、共振用のインダクタＬ２００とを有し、クランプ部２２０は、スイッチング素子Ｑ２２１、Ｑ２２２を有する。
【００３４】
また、図６に示すように、維持電極駆動回路５４は、電圧Ｖｅ１を維持電極ＳＵ１〜ＳＵｎに印加するためのスイッチング素子Ｑ２３１、Ｑ２３２と、逆流防止用のダイオードＤ２３１と、電圧Ｖｅ１に電圧ΔＶｅを積み上げた電圧Ｖｅ２を維持電極ＳＵ１〜ＳＵｎに印加するためのスイッチング素子Ｑ２４１、Ｑ２４２と、充電用のコンデンサＣ２４１とを備えている。
【００３５】
なお、維持電極ＳＵ１〜ＳＵｎに関しては、後述するように全ての維持電極ＳＵ１〜ＳＵｎに対し共通して同じ駆動電圧を印加することができるため、維持電極駆動回路５４は維持電極ＳＵ１〜ＳＵｎを個別に駆動するための回路等を備えておらず、全ての維持電極ＳＵ１〜ＳＵｎが電気的に共通して維持電極駆動回路５４に接続される。
【００３６】
なお、接続不良検知回路５００の詳細については後述する。
【００３７】
次に、パネル１０を駆動するための駆動電圧波形とその動作について説明する。本実施の形態におけるプラズマディスプレイ装置は、パネル１０を駆動する方法としてサブフィールド法を用いている。これは、１フィールド期間を複数のサブフィールドに分割し、それぞれのサブフィールドで各放電セルの発光、非発光を制御することにより階調表示を行う方法である。そして、サブフィールドのそれぞれは、初期化期間、書込み期間および維持期間を有する。
【００３８】
初期化期間では放電セルで初期化放電を行い、続く書込み動作のために必要な壁電荷を形成する。書込み期間では、走査電極ＳＣ１〜ＳＣｎに順次走査パルスを印加するとともにデータ電極Ｄ１〜Ｄｍには表示すべき画像信号に対応した書込みパルスを印加して書込み放電を行い、選択的な壁電荷形成を行う。続く維持期間では発光させるべき表示輝度に応じた所定の回数の維持パルスを走査電極ＳＣ１〜ＳＣｎと維持電極ＳＵ１〜ＳＵｎとの間に印加し、書込み放電による壁電荷形成を行った放電セルを選択的に放電、発光させる。
【００３９】
図７は、本発明の実施の形態１におけるプラズマディスプレイ装置１の駆動電圧波形図である。図７には、２つのサブフィールドの駆動電圧波形、すなわち第１のサブフィールド（第１ＳＦ）および第２のサブフィールド（第２ＳＦ）の駆動電圧波形を示しているが、他のサブフィールドにおける駆動電圧波形もほぼ同様である。
【００４０】
第１ＳＦの初期化期間前半部では、データ電極Ｄ１〜Ｄｍおよび維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００４１】
初期化期間後半部では、維持電極ＳＵ１〜ＳＵｎに、図６に示したダイオードＤ２３１およびスイッチング素子Ｑ２３１、Ｑ２３２を介して正の電圧Ｖｅ１を印加する。このとき、維持電極駆動回路５４からは、維持電極用ＦＰＣ５４９および短絡用配線２７を介して全ての維持電極ＳＵ１〜ＳＵｎに対し共通して電圧Ｖｅ１が印加される。なお、このときスイッチング素子Ｑ２４２はオンにし、コンデンサＣ２４１の電圧が電圧Ｖｅ１になるようにコンデンサＣ２４１に充電しておく。走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。
【００４２】
以上により、初期化動作が終了する。なお、初期化期間の駆動電圧波形としては、図７の第２ＳＦの初期化期間に示したように、初期化期間後半部の電圧波形だけを印加してもよく、この場合には直前のサブフィールドの維持期間において維持放電を行った放電セルで選択的に初期化放電が発生する。
【００４３】
続く書込み期間では、走査電極ＳＣ１〜ＳＣｎに電圧Ｖｃを印加する。このとき、維持電極駆動回路５４においては、スイッチング素子Ｑ２３１、Ｑ２３２はオンにしたまま、スイッチング素子Ｑ２４２を遮断（以下、「オフ」と記す）するとともにスイッチング素子Ｑ２４１をオンさせてコンデンサＣ２４１の電圧に電圧ΔＶｅを重畳する。これにより、維持電極ＳＵ１〜ＳＵｎに電圧Ｖｅ１＋ΔＶｅ、すなわち電圧Ｖｅ２を印加する。また、逆流防止用のダイオードＤ２３１の働きにより、コンデンサＣ２４１から電圧源Ｖｅ１への電流は遮断される。このとき、維持電極駆動回路５４からは、各維持電極用ＦＰＣ５４９および短絡用配線２７を介して全ての維持電極ＳＵ１〜ＳＵｎに対し共通して電圧Ｖｅ２が印加される。
【００４４】
次に、１行目の走査電極ＳＣ１に負の走査パルス電圧Ｖａを印加する。そして、データ電極Ｄ１〜Ｄｍのうち１行目に発光させるべき放電セルのデータ電極Ｄｋ（ｋ＝１〜ｍ）に正の書込みパルス電圧Ｖｄを印加する。するとデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目の書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４５】
続く維持期間では、まず、維持電極駆動回路５４のスイッチング素子Ｑ２１２をオンにする。すると維持電極ＳＵ１〜ＳＵｎ側の電荷は、短絡用配線２７および各維持電極用ＦＰＣ５４９と、インダクタＬ２００とダイオードＤ２０２とスイッチング素子Ｑ２１２とを通してコンデンサＣ２００に流れ始め、維持電極ＳＵ１〜ＳＵｎの電圧が下がり始める。そして、維持電極ＳＵ１〜ＳＵｎの電圧が０（Ｖ）付近まで低下したときスイッチング素子Ｑ２２２をオンにする。すると維持電極ＳＵ１〜ＳＵｎはスイッチング素子Ｑ２２２を通して０（Ｖ）にクランプされる。
【００４６】
さらに、走査電極駆動回路５３を動作させて走査電極ＳＣ１〜ＳＣｎの電圧を電圧Ｖｓまで立ち上げる。
【００４７】
このようにして、維持電極ＳＵ１〜ＳＵｎに０（Ｖ）を印加するとともに走査電極ＳＣ１〜ＳＣｎに正の維持パルス電圧Ｖｓを印加する。すると書込み放電を起こした放電セルでは、走査電極ＳＣｉ上と維持電極ＳＵｉ上との電圧差は、維持パルス電圧Ｖｓに走査電極ＳＣｉ上の壁電圧と維持電極ＳＵｉ上の壁電圧との差が加算されたものとなり、放電開始電圧を超える。そして、走査電極ＳＣｉと維持電極ＳＵｉとの間に維持放電が起こり、このとき発生した紫外線により蛍光体層３５が発光する。
【００４８】
そしてこの放電により、走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４９】
続いて、走査電極駆動回路５３を動作させて走査電極ＳＣ１〜ＳＣｎの電圧を０（Ｖ）まで立ち下げる。
【００５０】
さらに、維持電極駆動回路５４のスイッチング素子Ｑ２１１をオンにする。すると電力回収用のコンデンサＣ２００から、スイッチング素子Ｑ２１１とダイオードＤ２０１とインダクタＬ２００と、各維持電極用ＦＰＣ５４９および短絡用配線２７とを介して維持電極ＳＵ１〜ＳＵｎに電流が流れ始め、維持電極ＳＵ１〜ＳＵｎの電圧が上がり始める。そして、維持電極ＳＵ１〜ＳＵｎの電圧がＶｓ付近まで上昇したときスイッチング素子Ｑ２２１をオンにする。すると維持電極ＳＵ１〜ＳＵｎはスイッチング素子Ｑ２２１を通して平滑コンデンサＣ２５０の電圧Ｖｓにクランプされる。
【００５１】
このようにして、走査電極ＳＣ１〜ＳＣｎに０（Ｖ）を印加するとともに維持電極ＳＵ１〜ＳＵｎに正の維持パルス電圧Ｖｓを印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００５２】
以降同様に、走査電極ＳＣ１〜ＳＣｎと維持電極ＳＵ１〜ＳＵｎとに交互に輝度重みに応じた数の維持パルスを印加し、表示電極対２４の電極間に電位差を与えることにより、書込み期間において書込み放電を起こした放電セルで維持放電が継続して行われる。
【００５３】
このとき、各放電セルで維持放電を安定して発生させるためには、通常百数十（Ｖ）以上の振幅で立上り時間が１μｓｅｃ以下の急峻な形状を持つ維持パルスを表示電極対２４に印加する必要がある。このため、パネルには瞬間的に大きな電流が流れるが、この電流は表示画面の面積に比例して増大していく。例えば、全ての放電セルのうちの大部分で維持放電が発生するような場合、表示画面サイズが５０インチのパネルであれば２００（Ａ）を超える大きな電流が瞬間的に流れるが、本実施の形態における表示画面サイズが１０３インチのパネル１０では、その約４倍の８００（Ａ）を超える非常に大きな電流が瞬間的に流れる。
【００５４】
そして、維持期間の最後には、走査電極ＳＣ１〜ＳＣｎと維持電極ＳＵ１〜ＳＵｎとの間にいわゆる細幅パルス状の電位差を与えて、データ電極Ｄｋ上の正の壁電圧を残したまま、走査電極ＳＣｉおよび維持電極ＳＵｉ上の壁電圧を減らしている。
【００５５】
こうして維持期間における維持動作が終了する。なお、維持電極駆動回路５４は、前述したように、各維持電極用ＦＰＣ５４９および短絡用配線２７を介して全ての維持電極ＳＵ１〜ＳＵｎに対して同時に維持パルス電圧を印加することで、全ての維持電極ＳＵ１〜ＳＵｎを共通に駆動している。
【００５６】
続くサブフィールドの動作は第１ＳＦの動作とほぼ同様であるため説明を省略する。
【００５７】
図８は、各電極駆動回路を搭載したプリント基板の配置の一例を示す図である。また、図９は、維持パルス発生用プリント基板５４１と中継用プリント基板５４２との接続の様子を示す概略図であり、図１０は、維持電極駆動回路５４から出力される駆動電圧の供給の様子を示す概略図である。なお、図８には、プラズマディスプレイ装置１のバックカバーを外した状態を概略的に示しており、各電極駆動回路を搭載したプリント基板群とその配置を模式的に示している。
【００５８】
本実施の形態においては、図８に示すように、データ電極駆動回路５２を、１２枚の書込みパルス発生用プリント基板５２１に搭載した構成としている。また、走査電極駆動回路５３は、３枚の走査電極駆動用プリント基板５３１に分割して搭載した構成としている。
【００５９】
また、維持電極ＳＵ１〜ＳＵｎは３枚のプリント基板を用いて駆動するように構成している。すなわち、主基板である維持パルス発生用プリント基板５４１には維持電極駆動回路５４を搭載し、中継基板である２枚の中継用プリント基板５４２には、維持電極駆動回路５４と短絡用配線２７とを電気的に中継するための導線を形成している。そして、維持パルス発生用プリント基板５４１と中継用プリント基板５４２とを電気的に接続することで、維持電極駆動回路５４からの出力を中継用プリント基板５４２を介して短絡用配線２７に印加することができるように構成している。
【００６０】
このように、本実施の形態においては、プリント基板群は、１２枚の書込みパルス発生用プリント基板５２１と、３枚の走査電極駆動用プリント基板５３１と、維持パルス発生用プリント基板５４１および２枚の中継用プリント基板５４２とを有するが、これは、単なる一例に過ぎず、プリント基板の枚数や各プリント基板に搭載する駆動回路の構成等は、プラズマディスプレイ装置の仕様等に合わせて最適な構成にすることが望ましい。
【００６１】
また、各プリント基板にはそれぞれ複数のコネクタを搭載している。書込みパルス発生用プリント基板５２１には、前述したＦＰＣ５２９を接続するためのコネクタ５２４をそれぞれ搭載しており、データ電極駆動回路５２から出力される駆動電圧は、コネクタ５２４およびコネクタ５２４に接続されたＦＰＣ５２９を介して、各データ電極Ｄ１〜Ｄｍに印加される。走査電極駆動用プリント基板５３１には、走査電極駆動用プリント基板５３１同士を互いに電気的に接続するためのコネクタ５３３と、前述したＦＰＣ５３９を接続するためのコネクタ５３４とを搭載しており、走査電極駆動回路５３から出力される駆動電圧は、コネクタ５３４およびコネクタ５３４に接続されたＦＰＣ５３９を介して、各走査電極ＳＣ１〜ＳＣｎに印加される。
【００６２】
維持パルス発生用プリント基板５４１および中継用プリント基板５４２には、維持パルス発生用プリント基板５４１と中継用プリント基板５４２とを電気的に接続するためのコネクタであるブリッジコネクタ５４３と、短絡用配線２７に接続された前述の維持電極用ＦＰＣ５４９を接続するためのコネクタ５４４とを搭載している。そして、図９にも示すように、維持パルス発生用プリント基板５４１と２枚の中継用プリント基板５４２とは、大電流を流すことが可能なケーブルであるブリッジケーブル５４５によってブリッジコネクタ５４３同士を接続することで、電気的に接続することができる。
【００６３】
また、図１０に破線で示すように、維持電極駆動回路５４から出力される駆動電圧は、ブリッジコネクタ５４３およびブリッジコネクタ５４３に接続されたブリッジケーブル５４５を介して中継用プリント基板５４２に供給されるとともに、コネクタ５４４およびコネクタ５４４に接続された維持電極用ＦＰＣ５４９を介して短絡用配線２７に印加され、全ての維持電極ＳＵ１〜ＳＵｎに印加される。なお、本実施の形態では、維持パルス発生用プリント基板５４１および中継用プリント基板５４２にコネクタ５４４をそれぞれ４つずつ搭載し、ブリッジコネクタ５４３を１つずつ搭載した例を示したが、これは、単なる一例に過ぎず、プラズマディスプレイ装置の仕様等に合わせて最適な構成にすればよい。
【００６４】
ここで、維持期間においては、前述した維持放電にともない、維持放電を起こした放電セルの数に応じた放電電流が流れる。そして、この電流は表示画面の面積に比例して増大し、本実施の形態における表示画面サイズが１０３インチのパネル１０では、表示画面サイズが５０インチのパネルの約４倍の電流が流れる。例えば、全ての放電セルのうちの大部分で維持放電が発生するような場合、８００（Ａ）を超える非常に大きな電流が瞬間的に流れることもある。
【００６５】
このように、本実施の形態におけるパネル１０では、維持期間においてこれまでとは比較にならないほどの大電流が発生するため、全てのＦＰＣが対応するコネクタに確実に接続されていることが重要である。
【００６６】
特に、ブリッジコネクタ５４３とブリッジケーブル５４５との間に接続不良が生じて、維持パルス発生用プリント基板５４１と中継用プリント基板５４２との間に電気的な接続不良が発生すると、中継用プリント基板５４２およびその中継用プリント基板５４２に接続された維持電極用ＦＰＣ５４９を介して短絡用配線２７に供給されるはずの電流が、正常に接続されている維持電極用ＦＰＣ５４９を介して流れるようになる。この場合、正常に接続されている維持電極用ＦＰＣ５４９を流れる電流は約１．５倍となり、そのＦＰＣやそのＦＰＣの周辺に過大な負荷がかかることになるため、接続不良を生じたブリッジコネクタ５４３とブリッジケーブル５４５とを正しく接続しなおす等の対応を早急に行う必要がある。すなわち、本実施の形態におけるパネル１０のような巨大な表示画面サイズのパネルを用いてプラズマディスプレイ装置を構成する場合には、維持パルス発生用プリント基板５４１と中継用プリント基板５４２との間に電気的な接続不良が生じた場合に直ちにそのことを検知できるように構成しておくことが重要である。
【００６７】
そこで、本実施の形態においては、２枚の中継用プリント基板５４２のそれぞれに、前述した接続不良検知回路５００を搭載した構成とする。これにより、例えばブリッジコネクタ５４３からブリッジケーブル５４５が外れる等して、維持パルス発生用プリント基板５４１と中継用プリント基板５４２との間に電気的な接続不良が発生したときに、それを直ちに検知することが可能となる。次に、この構成について説明する。
【００６８】
図１１は、接続不良検知回路５００の回路図である。また、図１１には、維持電極駆動回路５４と接続不良検知回路５００との接続の概略を合わせて示している。
【００６９】
図１１に示すように、維持パルス発生用プリント基板５４１において、維持電極駆動回路５４の出力部は、維持電極用ＦＰＣ５４９を接続するために維持パルス発生用プリント基板５４１に設けられた全てのコネクタ５４４および維持パルス発生用プリント基板５４１に設けられたブリッジコネクタ５４３に接続されている。また、中継用プリント基板５４２において、中継用プリント基板５４２に設けられたブリッジコネクタ５４３の電極端子は、その１つが接続不良検知回路５００に接続され、残りの電極端子は維持電極用ＦＰＣ５４９を接続するために中継用プリント基板５４２に搭載された全てのコネクタ５４４に接続されている。ブリッジコネクタ５４３には、大電流を流すことが可能なブリッジケーブル５４５に接続可能なものが用いられており、維持パルス発生用プリント基板５４１に設けられたブリッジコネクタ５４３と中継用プリント基板５４２に設けられたブリッジコネクタ５４３とにブリッジケーブル５４５を接続することで、維持パルス発生用プリント基板５４１と中継用プリント基板５４２とを、電気的に接続することができる。
【００７０】
すなわち、維持電極駆動回路５４から出力される駆動電圧は、維持パルス発生用プリント基板５４１に設けられたコネクタ５４４およびコネクタ５４４に接続された維持電極用ＦＰＣ５４９を介して短絡用配線２７に印加されるとともに、維持パルス発生用プリント基板５４１に設けられたブリッジコネクタ５４３と、ブリッジケーブル５４５と、中継用プリント基板５４２に設けられたブリッジコネクタ５４３とを介して、中継用プリント基板５４２に設けられたコネクタ５４４およびコネクタ５４４に接続された維持電極用ＦＰＣ５４９から短絡用配線２７に印加され、同時に接続不良検知回路５００にも入力される。
【００７１】
接続不良検知回路５００は、ブリッジコネクタ５４３の電極端子の１つにアノードを接続した逆流防止用のダイオードＤ１０と、ダイオードＤ１０に直列に接続した電流制限用の抵抗Ｒ１０と、アノードを抵抗Ｒ１０に接続しカソードを接地した発光ダイオードＬＥＤ１０と、一方を抵抗Ｒ１０に接続し他方を接地して発光ダイオードＬＥＤ１０に並列に接続した平滑化コンデンサＣ１０と、発光ダイオードＬＥＤ１０に並列に接続した抵抗Ｒ１１と、カソードを抵抗Ｒ１０に接続しアノードを接地して発光ダイオードＬＥＤ１０に並列に接続した逆流防止用のダイオードＤ１１とを有する。この構成において、逆流防止用のダイオードＤ１０は、維持電極駆動回路５４側へ電流が逆流するのを防止し、電流制限用の抵抗Ｒ１０は、入力される駆動電圧を抵抗Ｒ１１と合わせて抵抗分割するとともに発光ダイオードＬＥＤ１０に流れる電流を制限し、平滑化コンデンサＣ１０は、駆動電圧を平滑化しかつその電圧を充電して発光ダイオードＬＥＤ１０に供給し、逆流防止用のダイオードＤ１１は、発光ダイオードＬＥＤ１０に逆向きの電流が流れるのを防止する。そして、発光ダイオードＬＥＤ１０を、維持電極駆動回路５４から出力される駆動電圧を利用して発光させる。
【００７２】
したがって、このような構成の接続不良検知回路５００においては、ブリッジコネクタ５４３とブリッジケーブル５４５とが正しく接続されていれば、維持電極駆動回路５４と接続不良検知回路５００とが電気的に接続され、維持電極駆動回路５４から出力される維持パルス電圧等の駆動電圧により発光ダイオードＬＥＤ１０が発光する。逆に、ブリッジコネクタ５４３とブリッジケーブル５４５との間に接続不良があれば、維持電極駆動回路５４と接続不良検知回路５００との電気的な接続が絶たれ、発光ダイオードＬＥＤ１０は発光しない。
【００７３】
このように、本実施の形態では、維持電極駆動回路５４から出力される駆動電圧を利用して接続不良検知回路５００の発光ダイオードＬＥＤ１０を発光させる構成とする。これにより、発光ダイオードＬＥＤ１０の発光／非発光を確認するだけで維持パルス発生用プリント基板５４１と中継用プリント基板５４２との接続不良を検知できるようになるので、短時間に、かつ視認性よく接続確認を行うことが可能となる。
【００７４】
なお、抵抗Ｒ１０、Ｒ１１は、振幅約２００（Ｖ）の維持パルスが印加されたときに発光ダイオードＬＥＤ１０にかかる電圧および発光ダイオードＬＥＤ１０を流れる電流が定格内に抑まるように、各抵抗値を設定する。また、コンデンサＣ１０は、維持パルスを平滑化できるように、その容量値を設定する。そして、本実施の形態では、抵抗Ｒ１０を３０ｋΩ、抵抗Ｒ１１を２２０ｋΩ、コンデンサＣ１０を４．７μＦとしているが、これらの値は単なる一例に過ぎず、プラズマディスプレイ装置の仕様に合わせて最適な値に設定することが望ましい。
【００７５】
図１２は、本発明における接続不良検知回路の他の例を示す回路図である。
【００７６】
図１２に示すように、本実施の形態における接続不良検知回路５１０は、スイッチング回路５０１と接続回路５０２とを有する。接続回路５０２は、維持電極駆動回路５４から出力される極駆動電圧を抵抗分割するための抵抗Ｒ２０、Ｒ２１と、抵抗Ｒ２０と抵抗Ｒ２１との接続点に接続され、抵抗分割された極駆動電圧を平滑化するためのコンデンサＣ２０と、抵抗Ｒ２０と抵抗Ｒ２１との接続点にカソードが接続された逆流防止用のダイオードＤ２０とを有する。
【００７７】
スイッチング回路５０１は、スイッチング動作を行わせるためのＰＮＰ型のトランジスタＱ１と、トランジスタＱ１のベースと電圧源Ｖ１との間に配置された抵抗Ｒ１と、トランジスタＱ１のベースに入力される電圧を平滑化するためのコンデンサＣ１と、トランジスタＱ１が動作したときに所定の電圧を取り出すための抵抗Ｒ２とを有する。そして、ダイオードＤ２０のアノードは、スイッチング回路５０１のトランジスタＱ１のベースに接続されている。
【００７８】
このような構成の接続不良検知回路５１０においては、ブリッジコネクタ５４３とブリッジケーブル５４５とが正しく接続されていれば、維持電極駆動回路５４と接続不良検知回路５１０とが電気的に接続され、維持電極駆動回路５４から出力される維持パルス電圧等の駆動電圧が抵抗Ｒ２０と抵抗Ｒ２１とで抵抗分割されるとともにコンデンサＣ２０で平滑化されてダイオードＤ２０のカソードに印加される。これにより、ダイオードＤ２０は、カソードの電圧がアノードの電圧よりも高くなって電気的に遮断された状態になる。そのため、トランジスタＱ１は、ベースの電位が電圧源Ｖ１とほぼ同電位、すなわちエミッタとほぼ同電位となって、エミッタ−コレクタ間の電流が遮断され、スイッチング回路５０１の出力電圧はほぼ接地電位（以下、「データＬｏ」と記す）となる。
【００７９】
一方、ブリッジコネクタ５４３とブリッジケーブル５４５との間に接続不良があれば、維持電極駆動回路５４と接続不良検知回路５１０との電気的な接続が絶たれ、抵抗Ｒ２０の一端は開放された状態となる。これにより、ダイオードＤ２０はカソードが抵抗Ｒ２１を介して接地された状態となって導通し、コンデンサＣ２０の電圧は、電圧源Ｖ１の電圧をダイオードＤ２０を介して抵抗Ｒ１と抵抗Ｒ２１とで抵抗分割した電圧となる。これにより、トランジスタＱ１のベースに印加される電圧は、トランジスタＱ１を動作させる電圧となり、トランジスタＱ１のエミッタ−コレクタ間に電流が流れ、スイッチング回路５０１からは、その電流と抵抗Ｒ２とによる電圧（以下、「データＨｉ」と記す）が出力される。
【００８０】
以上述べたように、本実施の形態では、維持パルス発生用プリント基板５４１と中継用プリント基板５４２との間の接続不良を検知して接続不良検知回路５１０から出力される信号を変位させる構成とすることにより、維持パルス発生用プリント基板５４１と中継用プリント基板５４２との間の接続不良の有無を、スイッチング回路５０１からの出力信号の変位により知ることができ、例えば、接続不良検知回路５１０から出力される信号にもとづき接続不良の発生を知らせる表示を行ったり、プラズマディスプレイ装置の電源を強制的にオフする等の構成とすることで、接続不良が発生した場合に直ちにそれを検知することが可能となる。これにより、例えば製品の搬送の際に生じる振動や衝撃等により維持パルス発生用プリント基板５４１と中継用プリント基板５４２との間に接続不良が発生した場合等、プラズマディスプレイ装置のバックカバーを取り付けてしまった後であっても、維持パルス発生用プリント基板５４１と中継用プリント基板５４２との間に接続不良が発生した場合にそれを検知することが可能となる。
【００８１】
なお、抵抗Ｒ２０、Ｒ２１は、振幅約２００（Ｖ）の維持パルスが印加されたときにダイオードＤ２０にかかる電圧がダイオードＤ２０の定格内に抑まるように、かつダイオードＤ２０のカソードの電圧がアノードの電圧（ここでは、電圧源Ｖ１の電圧）よりも高くなるように、各抵抗値を設定する。また、コンデンサＣ２０は、維持パルスを平滑化できるように、その容量値を設定する。また、抵抗Ｒ１は、抵抗Ｒ２０の一端が開放されたときに、トランジスタＱ１のベースに印加される電圧がトランジスタＱ１を動作させる電圧となるように、その抵抗値を設定する。また、抵抗Ｒ２は、トランジスタＱ１が動作したときに出力電圧がデータＨｉ（例えば、５（Ｖ））となるように、その抵抗値を設定する。
【００８２】
なお、本実施の形態では、抵抗Ｒ２０、Ｒ２１を４７ｋΩ、コンデンサＣ２０を０．１μＦ、抵抗Ｒ１を２２ｋΩ、抵抗Ｒ２を１０ｋΩ、コンデンサＣ１を１μＦ、電圧源Ｖ１を５（Ｖ）としているが、これらの値は単なる一例に過ぎず、プラズマディスプレイ装置の仕様に合わせて最適な値に設定すればよい。
【００８３】
また、本実施の形態では、接続不良検知回路５１０において、スイッチング回路５０１を用いてデータＨｉを出力する構成を説明したが、例えば電圧検出機能を有するマイクロコンピュータ等を用いて、駆動電圧の有無を検出する構成としてもよい。
【００８４】
また、本実施の形態では、接続不良を検知したときに接続不良検知回路５１０からデータＨｉを出力させる構成を説明したが、スイッチング回路５０１から出力される信号の極性が逆になるようにスイッチング回路５０１を構成し、接続不良を検知したときにデータＬｏを出力させる構成としてもよい。
【００８５】
図１３は、本発明の実施の形態における維持パルス発生用プリント基板５４１と中継用プリント基板５４２との接続の他の例を示す概略図である。例えば、図１３に示すように、ブリッジコネクタ５４３およびブリッジケーブル５４５に流れる電流を分散させる目的で、維持パルス発生用プリント基板５４１と中継用プリント基板５４２とをそれぞれ２つ、あるいはそれ以上のブリッジコネクタ５４３およびブリッジケーブル５４５で接続する構成としてもよい。ただし、このような場合には、図１３に示すように、ブリッジコネクタ５４３と同数の接続不良検知回路を中継用プリント基板５４２上に設け、ブリッジコネクタ５４３のそれぞれに接続不良検知回路を接続する構成とする。
【産業上の利用可能性】
【００８６】
以上のように本発明は、プラズマディスプレイ装置の信頼性を高める上で有用な発明である。
【図面の簡単な説明】
【００８７】
【図１】本発明の一実施の形態におけるプラズマディスプレイ装置のパネルの構造を示す分解斜視図
【図２】同パネルの電極配列図
【図３】同パネルの維持電極の端部を拡大して示す図
【図４】同パネルの電極引き出し部にＦＰＣを接続した様子を示す概略図
【図５】本発明のプラズマディスプレイ装置の回路ブロックの一例を示す図
【図６】同じく維持電極駆動回路の詳細を示す回路図
【図７】同じく駆動電圧波形図
【図８】同じく各電極駆動回路を搭載したプリント基板の配置の一例を示す図
【図９】同じく維持パルス発生用プリント基板と中継用プリント基板との接続の様子を示す概略図
【図１０】同じく維持電極駆動回路から出力される駆動電圧の供給の様子を示す概略図
【図１１】同じく接続不良検知回路の回路図
【図１２】本発明において、接続不良検知回路の他の例を示す回路図
【図１３】本発明において、維持パルス発生用プリント基板と中継用プリント基板との接続の他の例を示す概略図
【符号の説明】
【００８８】
１０    パネル（プラズマディスプレイパネル）
２０    前面板
２１    前面基板
２２    走査電極
２３    維持電極
２４    表示電極対
２７    短絡用配線
２８    引き出し電極
５４    維持電極駆動回路
２００    維持パルス発生部
２１０    電力回収部
２２０    クランプ部
５００，５１０    接続不良検知回路
５０１    スイッチング回路
５０２    接続回路
５２１    書込みパルス発生用プリント基板
５２４，５３３，５３４，５４４    コネクタ
５２９，５３９    ＦＰＣ
５３１    走査電極駆動用プリント基板
５４１    維持パルス発生用プリント基板
５４２    中継用プリント基板
５４３    ブリッジコネクタ
５４５    ブリッジケーブル
５４９    維持電極用ＦＰＣ
Ｑ２１１，Ｑ２１２，Ｑ２２１，Ｑ２２２，Ｑ２３１，Ｑ２３２，Ｑ２４１，Ｑ２４２    スイッチング素子
Ｃ２００    （電力回収用の）コンデンサ
Ｃ２４１    （充電用の）コンデンサ
Ｄ１０，Ｄ１１，Ｄ２０    ダイオード
ＬＥＤ１０    発光ダイオード
Ｌ２００    （共振用の）インダクタ
Ｒ１，Ｒ２，Ｒ１０，Ｒ１１，Ｒ２０，Ｒ２１    抵抗
Ｃ１，Ｃ１０，Ｃ２０    コンデンサ
Ｑ１    （ＰＮＰ型）トランジスタ
【図１】
2008083136.tif 000003
【図２】
2008083136.tif 000004
【図３】
2008083136.tif 000005
【図４】
2008083136.tif 000006
【図５】
2008083136.tif 000007
【図６】
2008083136.tif 000008
【図７】
2008083136.tif 000009
【図８】
2008083136.tif 000010
【図９】
2008083136.tif 000011
【図１０】
2008083136.tif 000012
【図１１】
2008083136.tif 000013
【図１２】
2008083136.tif 000014
【図１３】
2008083136.tif 000015